(57)【要約】    【課題】  物理的な商品等についても簡単に情報交換サーバ装置に対するアクションをを行うことのできるシステムを提供する。    【解決手段】  ユーザは、画像撮像処理装置１４を操作して、商品に印刷されたロゴマークを撮像する。撮像画像取得手段２は、この撮像画像を取得する。電子透かしデータ取得手段４は、取得した撮像画像に電子透かしとして埋め込まれている識別情報を抽出して取得する。対応情報取得手段６は、管理サーバ装置１０に対してアクセスし、前記識別情報に対応して記録されている情報交換サーバ装置１２のアドレスおよび制御情報を取得する。アクセス処理手段８は、取得した情報交換サーバ装置１２のアドレスに基づいて、情報交換サーバ装置１２にアクセスし、取得した前記制御情報に基づく処理を行う。たとえば、当該商品のページにおいて、「いいね」ボタンをクリックしたと同様の処理を行う。【選択図】  図１
2015090504.tif 000002
【特許請求の範囲】
【請求項１】
識別情報が電子透かしデータとして埋め込まれた画像を撮像した撮像画像を取得する撮像画像取得手段と、
取得した撮像画像に埋め込まれている識別情報を取得する電子透かしデータ取得手段と、
管理サーバ装置に対してアクセスし、前記識別情報に対応して記録されている情報交換サーバ装置のアドレスおよび制御情報を取得する対応情報取得手段と、
取得した情報交換サーバ装置のアドレスに基づいて、情報交換サーバ装置にアクセスし、取得した制御情報に基づく処理を行うアクセス処理手段と、
を備えた画像撮像処理装置。
【請求項２】
コンピュータによって画像撮像処理装置を実現するための画像撮像処理プログラムであって、コンピュータを、
識別情報が電子透かしデータとして埋め込まれた画像を撮像した撮像画像を取得する撮像画像取得手段と、
取得した撮像画像に埋め込まれている識別情報を取得する電子透かしデータ取得手段と、
管理サーバ装置に対してアクセスし、前記識別情報に対応して記録されている情報交換サーバ装置のアドレスおよび制御情報を取得する対応情報取得手段と、
取得した情報交換サーバ装置のアドレスに基づいて、情報交換サーバ装置にアクセスし、取得した制御情報に基づく処理を行うアクセス処理手段として機能させるための画像撮像処理プログラム。
【請求項３】
請求項１の装置または請求項２のプログラムにおいて、
前記アクセス処理手段は、管理サーバ装置にアクセスし、評価ボタンをクリックしたと同様の処理を行うことを特徴とする装置またはプログラム。
【請求項４】
請求項１〜３のいずれかの装置またはプログラムにおいて、
前記アクセス処理手段は、情報交換サーバ装置から書込用ページを取得し、前記制御情報に含まれる書込情報を書込用ページに書き込んで表示し、ユーザの操作入力を促すことを特徴とする装置またはプログラム。
【請求項５】
識別情報に対応づけて情報交換サーバ装置のアドレスおよび制御情報を記録する記録部と、
前記識別情報が電子透かしデータとして埋め込まれた画像を撮像した撮像画像から抽出された識別情報を受信する識別情報受信手段と、
画像撮像装置において、情報交換サーバ装置にアクセスし、制御情報に基づく処理を行うために、受信した識別情報に対応づけて記録されている情報交換サーバ装置のアドレスおよび制御情報を、画像撮像処理装置に送信する送信手段と、
を備えた管理サーバ装置。
【請求項６】
識別情報が電子透かしデータとして埋め込まれた画像を撮像した撮像画像を取得する撮像画像取得手段と、
取得した撮像画像に埋め込まれている識別情報を取得する電子透かしデータ取得手段と、
情報交換サーバ装置に対して前記識別情報を伴ったアクセスをする命令と、前記撮像画像と、アイコンを登録するための命令とを関連づけて記録するアイコン作成情報記録手段と、
を備えた画像撮像処理装置。
【請求項７】
コンピュータによって画像撮像処理装置を実現するための画像撮像処理プログラムであって、コンピュータを、
識別情報が電子透かしデータとして埋め込まれた画像を撮像した撮像画像を取得する撮像画像取得手段と、
取得した撮像画像に埋め込まれている識別情報を取得する電子透かしデータ取得手段と、
情報交換サーバ装置に対して前記識別情報を伴ったアクセスをする命令と、前記撮像画像と、アイコンを登録するための命令とを関連づけて記録するアイコン作成情報記録手段として機能させるための画像撮像処理プログラム。
【請求項８】
識別情報が電子透かしデータとして埋め込まれた画像を撮像した撮像画像を取得する撮像画像取得手段と、
取得した撮像画像に埋め込まれている識別情報を取得する電子透かしデータ取得手段と、
管理サーバ装置に対してアクセスし、前記識別情報に対応して記録されている情報交換サーバ装置のアドレスおよび制御情報を取得する対応情報取得手段と、
情報交換サーバ装置に対して前記制御情報に基づく処理を行うための命令と、前記撮像画像と、アイコンを登録するための命令とを関連づけて記録するアイコン作成情報記録手段と、
を備えた画像撮像処理装置。
【請求項９】
コンピュータによって画像撮像処理装置を実現するための画像撮像処理プログラムであって、コンピュータを、
識別情報が電子透かしデータとして埋め込まれた画像を撮像した撮像画像を取得する撮像画像取得手段と、
取得した撮像画像に埋め込まれている識別情報を取得する電子透かしデータ取得手段と、
管理サーバ装置に対してアクセスし、前記識別情報に対応して記録されている情報交換サーバ装置のアドレスおよび制御情報を取得する対応情報取得手段と、
情報交換サーバ装置に対して前記制御情報に基づく処理を行うための命令と、前記撮像画像と、アイコンを登録するための命令とを関連づけて記録するアイコン作成情報記録手段として機能させるための画像撮像処理プログラム。
【発明の詳細な説明】
【技術分野】
【０００１】
この発明は、ロゴマークなどの画像を撮像することで、情報交換サーバなどに対する処理を行うことのできる画像撮像処理装置に関するものである。
【背景技術】
【０００２】
ソーシャルネットワークサービス（ＳＮＳ）のページ設置されたボタン（たとえば、「いいね」ボタン）をクリックすることにより、ユーザがそのページや、対象となるコメント・画像などが好きであるという意志を示すことができるようになっている。これにより、同じように「いいね」ボタンをクリックしている他のユーザと繋がっていく可能性が生じ、ＳＮＳの可能性を高めるものとして期待されている。
【０００３】
たとえば、特許文献１には、「いいね」ボタンを用いて、健康情報交換を積極化することが開示されている。
【先行技術文献】
【特許文献】
【０００４】
【特許文献１】特開２０１３−１０９６１８
【発明の概要】
【発明が解決しようとする課題】
【０００５】
しかしながら、上記のような従来技術においては、ユーザが「いいね」ボタンを押すための画面が必要である。このため、物理的な商品自体や印刷物などに「いいね」ボタンを付すことができないという問題があった。つまり、ユーザが、商品自体や印刷された商品の写真を見て、「いいね」ボタンをおそうと思っても、ＰＣからインターネットに接続して「いいね」ボタンを押さねばならなかった。したがって、ユーザがせっかく商品等を気に入っても、その時点で「いいね」ボタンを押すことができず、煩わしかったり興味が冷めてしまったりして、結果的に「いいね」ボタンが押されなくなるという問題があった。
【０００６】
この発明は、上記のような問題点を解決して、物理的な商品等についても簡単に情報交換サーバ装置に対するアクションをを行うことのできるシステムを提供することを目的とする。
【課題を解決するための手段】
【０００７】
(1)(2)この発明にかかる画像撮像処理装置は、識別情報が電子透かしデータとして埋め込まれた画像を撮像した撮像画像を取得する撮像画像取得手段と、取得した撮像画像に埋め込まれている識別情報を取得する電子透かしデータ取得手段と、管理サーバ装置に対してアクセスし、前記識別情報に対応して記録されている情報交換サーバ装置のアドレスおよび制御情報を取得する対応情報取得手段と、取得した情報交換サーバ装置のアドレスに基づいて、情報交換サーバ装置にアクセスし、取得した制御情報に基づく処理を行うアクセス処理手段とを備えている。
【０００８】
したがって、電子透かしデータを埋め込んだ画像を撮像することで、容易に情報交換サーバ装置に対するアクションを行うことができる。
【０００９】
(3)この発明にかかる画像撮像処理装置は、アクセス処理手段が、管理サーバ装置にアクセスし、評価ボタンをクリックしたと同様の処理を行うことを特徴としている。
【００１０】
したがって、電子透かしデータを埋め込んだ画像を撮像することで、容易に評価ボタンをクリックするアクションを実行することができる。
【００１１】
(4)この発明にかかる画像撮像処理装置は、アクセス処理手段が、情報交換サーバ装置から書込用ページを取得し、前記制御情報に含まれる書込情報を書込用ページに書き込んで表示し、ユーザの操作入力を促すことを特徴としている。
【００１２】
したがって、電子透かしを埋め込んだ画像を撮像することで、容易に情報交換サーバへの書き込みを行うことができる。
【００１３】
(5)この発明に係る画像撮像処理装置は、識別情報に対応づけて情報交換サーバ装置のアドレスおよび制御情報を記録する記録部と、前記識別情報が電子透かしデータとして埋め込まれた画像を撮像した撮像画像から抽出された識別情報を受信する識別情報受信手段と、画像撮像装置において、情報交換サーバ装置にアクセスし、制御情報に基づく処理を行うために、受信した識別情報に対応づけて記録されている情報交換サーバ装置のアドレスおよび制御情報を、画像撮像処理装置に送信する送信手段とを備えている。
【００１４】
したがって、電子透かしデータを埋め込んだ画像を撮像することで、容易に情報交換サーバ装置に対するアクションを行うことができる。
【００１５】
(6)(7)この発明に係る画像撮像処理装置は、識別情報が電子透かしデータとして埋め込まれた画像を撮像した撮像画像を取得する撮像画像取得手段と、取得した撮像画像に埋め込まれている識別情報を取得する電子透かしデータ取得手段と、情報交換サーバ装置に対して前記識別情報を伴ったアクセスをする命令と、前記撮像画像と、アイコンを登録するための命令とを関連づけて記録するアイコン作成情報記録手段とを備えている。
【００１６】
したがって、画像を撮像することで、撮像した画像をアイコン化することができる。
【００１７】
(8)(9)この発明に係る画像撮像処理装置は、識別情報が電子透かしデータとして埋め込まれた画像を撮像した撮像画像を取得する撮像画像取得手段と、取得した撮像画像に埋め込まれている識別情報を取得する電子透かしデータ取得手段と、管理サーバ装置に対してアクセスし、前記識別情報に対応して記録されている情報交換サーバ装置のアドレスおよび制御情報を取得する対応情報取得手段と、情報交換サーバ装置に対して前記制御情報に基づく処理を行うための命令と、前記撮像画像と、アイコンを登録するための命令とを関連づけて記録するアイコン作成情報記録手段とを備えている。
【００１８】
したがって、画像を撮像することで、撮像した画像をアイコン化することができる。
【００１９】
「撮像画像取得手段」は、実施形態においては、図６、図１１または図１３のステップＳ１０１がこれに対応する。
【００２０】
「電子透かしデータ取得手段」は、実施形態においては、図６、図１１または図１３のステップＳ１０２がこれに対応する。
【００２１】
「対応情報取得手段」は、実施形態においては、図６または図１３のステップＳ１０３がこれに対応する。
【００２２】
「アクセス処理手段」は、実施形態においては、図６のステップＳ１０５、Ｓ１０６がこれに対応する。
【００２３】
「伴って」とは、２以上のデータなどが同時に送信される場合だけでなく、時間的に連続して順次送信される場合も含む概念である。
【００２４】
「プログラム」とは、ＣＰＵにより直接実行可能なプログラムだけでなく、ソース形式のプログラム、圧縮処理がされたプログラム、暗号化されたプログラム等を含む概念である。
【図面の簡単な説明】
【００２５】
【図１】図１は、この発明の一実施形態による画像撮像処理システムの全体構成を示す図である。
【図２】画像撮像処理装置１４のハードウエア構成である。
【図３】管理サーバ装置１０のハードウエア構成である。
【図４】電子透かし画像の生成処理を示すフローチャートである。
【図５】識別情報に対応づけて記録されたアドレスと制御情報を示す図である。
【図６】ロゴマーク撮像時の処理を示すフローチャートである。
【図７】商品に印刷された電子透かし入りのロゴマークを示す図である。
【図８】確認画面を示す図である。
【図９】商品を紹介するページ（ファンページ）の例である。
【図１０】シェアのための確認画面を示す図である。
【図１１】アイコン作成処理のフローチャートである。
【図１２】作成されたアイコンをページに貼り付けた場合を示す図である。
【図１３】アイコン作成処理のフローチャートである。
【発明を実施するための形態】
【００２６】
１．画像撮像処理装置
図１に、この発明の一実施形態による画像撮像処理システムの全体構成を示す。この実施形態においては、システムは、画像撮像処理装置１４、管理サーバ装置１０、情報交換サーバ装置１２、利用者端末装置２４を備えて構成されている。
【００２７】
たとえば、商品自体に付されたロゴマークやパンフレットなどに印刷されたロゴマークを撮像することで、当該商品の紹介ページにおいて「いいね」ボタン（その他の評価ボタンであってもよい）を押す処理を実行させる場合について説明する。
【００２８】
商品を販売する運営者は、情報交換サーバ装置１２に当該商品を案内する商品ページを登録しているものとする。利用者は、利用者端末装置２４を操作して、管理サーバ装置１０にアクセスする。利用者端末装置２４から、管理サーバ装置１０に対して、情報交換サーバ装置１２の商品ページのアドレスおよび処理の内容を示す制御情報が、対応情報として送信される。管理サーバ装置１０の対応情報受信手段２２は、この対応情報を受信する。識別情報発行手段２０は、受信した対応情報に対応づけて、識別情報を発行し、利用者端末装置２４に返信する。記録手段１８は、上記の対応情報および識別情報を記録部１６に記録する。
【００２９】
識別情報を受け取った利用者端末装置２４は、この識別情報を電子透かしとして、ロゴマークを生成する。利用者は、この電子透かしの入ったロゴマークを、商品やカタログなどに印刷する。
【００３０】
以上のようにして、利用者によって、電子透かしの入ったロゴマークが印刷された商品などが販売されることになる。
【００３１】
この商品がユーザによって購入され、ユーザが当該商品を推薦する場合、次のようにして行うことができる。ユーザは、画像撮像処理装置１４を操作して、商品に印刷されたロゴマークを撮像する。撮像画像取得手段２は、この撮像画像を取得する。
【００３２】
電子透かしデータ取得手段４は、取得した撮像画像に電子透かしとして埋め込まれている識別情報を抽出して取得する。対応情報取得手段６は、管理サーバ装置１０に対してアクセスし、前記識別情報に対応して記録されている情報交換サーバ装置１２のアドレスおよび制御情報を取得する。
【００３３】
アクセス処理手段８は、取得した情報交換サーバ装置１２のアドレスに基づいて、情報交換サーバ装置１２にアクセスし、取得した前記制御情報に基づく処理を行う。当該商品のページにおいて、「いいね」ボタンをクリックしたと同様の処理を行う。
【００３４】
２．ハードウエア構成
図２に、画像撮像処理装置１４のハードウエア構成を示す。この実施形態では、携帯電話装置を画像撮像処理装置１４として構成している。ＣＰＵ２０には、メモリ２２、カメラ２４、不揮発性メモリ２６、タッチスクリーン２８、通信回路３０が接続されている。なお、通話に関する回路については省略している。
【００３５】
通信回路３０は、インターネットに接続するためのものである。タッチスクリーン２８は、表示を行うとともに、ユーザのタッチによって操作を受けるものである。不揮発性メモリ２６には、オペレーティングシステム（Android（商標）など）３２や画像撮像処理プログラム３４が記録されている。画像撮像処理プログラム３４は、オペレーティングシステム３２と協働してその機能を発揮するものである。
【００３６】
図３に、管理サーバ装置１０のハードウエア構成を示す。ＣＰＵ４０には、メモリ４２、ハードディスク４４、ＤＶＤ−ＲＯＭドライブ４６、通信回路４８が接続されている。
【００３７】
通信回路４８は、インターネットに接続するためのものである。ハードディスク４４には、オペレーティングシステム（WINDOWS（商標）など）５０や管理サーバプログラム５２が記録されている。管理サーバプログラム５２は、オペレーティングシステム５０と協働してその機能を発揮するものである。オペレーティングシステム５０、管理サーバプログラム５２は、ＤＶＤ−ＲＯＭ５４に記録されていたものを、ＤＶＤ−ＲＯＭドライブ４６を介して、ハードディスク４４にインストールしたものである。
【００３８】
３．電子透かし画像の生成処理
図４に、管理サーバ装置１０（管理サーバプログラム５２）と利用者端末装置２４による電子透かし画像の生成処理のフローチャートを示す。
【００３９】
利用者の操作により、利用者端末装置２４は管理サーバ装置１０にアクセスし、情報登録のためのページを要求する（ステップＳ１）。これに対応して、管理サーバ装置１０は、登録のためのページを送信する（ステップＳ１１）。利用者端末装置２４は、登録のためのページを表示する。利用者は、この画面により、情報交換サーバ装置１２の商品ページのアドレスおよび制御情報を入力する。ここで、制御情報とは、情報交換サーバ装置１２に対して、どのような処理を行うかを示す情報である。入力されたアドレスおよび制御情報は、対応情報として管理サーバ装置１０に送信される（ステップＳ２）。
【００４０】
対応情報を受信した管理サーバ装置１０は、ユニークな識別情報を生成し、利用者端末装置２４に送信する（ステップＳ１２）。さらに、管理サーバ装置１０は、識別情報に対応づけて、アドレス、制御情報を、ハードディスク４４に記録する（ステップＳ１３）。図５に、記録されたアドレス、制御情報の例を示す。１行目の例では、当該商品を紹介するページ（フェイスブック（商標）のファンページなど）のアドレスが記録されている。また、制御情報としては、当該ページに対して「いいね」ボタンをクリックするための制御情報が記録されている。なお、図においては、文章にて制御情報を表しているが、実際には、ＡＰＩ等によって定められた制御コードが記録されることになる。
【００４１】
利用者端末装置２４は、ロゴマークを取得する（ステップＳ３）。この実施形態では、利用者が希望する情報交換サーバ装置１０のロゴマークを取得するようにしている。利用者端末装置２４は、予め、様々な情報交換サーバ装置１０のロゴマークを記録している。たとえば、フェイスブック（商標）、ツイッター（商標）、LinkedIn（商標）などのロゴマークである。利用者端末装置２４は、ステップＳ２において入力されたアドレスに基づいて、いずれかのロゴマークを選択して取得する。
【００４２】
続いて、利用者端末装置２４は、当該ロゴマークに対して受信した識別情報（ここでは「３２５１６２３」（図５参照）とする）を電子透かしとして埋め込む（ステップＳ４）。
【００４３】
電子透かしの生成方法としては、画像のノイズ部分に人間の目では識別不可能な透かし情報を埋め込む、類似の画像成分が連続する部分に人間の目では識別不可能な透かし情報を埋め込む、量子化ノイズ成分の一部分に人間の目では識別不可能なノイズ成分から構成された透かし情報を埋め込むなどを用いることができる。あるいは、画像の空間周波数の高い領域に、一定のパターンで画像に対する微量の変更を加えることにより、人間の目では識別が困難な透かし情報を埋め込むといった方法を用いることもできる。画像に対する微量の変更を加える対象としては、画像の輝度情報を用いることができる。
【００４４】
利用者はこのようにして得た、識別情報の埋め込まれたロゴマーク画像データを用いて、商品やパンフレットなどにこれを印刷する。たとえば、図７に示すように、ロゴマーク１００を印刷する。
【００４５】
なお、上記では、利用者端末装置２４の側で識別情報を埋め込んでいるが、管理サーバ装置１０において埋め込み、利用者端末装置２４に送信するようにしてもよい。
【００４６】
４．ロゴマーク画像撮像時の処理
図６に、ロゴマーク画像撮像処理時の処理フローチャートを示す。商品を購入したユーザは、画像撮像処理装置１４（この実施形態では携帯電話装置）のカメラ２４によって、商品に付されたロゴマーク１００を撮像する。画像撮像処理装置１４のＣＰＵ２０（以下、画像撮像処理装置を省略することあり）は、撮像されたロゴマーク画像を取得する（ステップＳ１０１）。
【００４７】
画像撮像処理装置１４は、取得したロゴマーク画像に、電子透かしとして埋め込まれている識別情報「３２５１６２３」を抽出する（ステップＳ１０２）。画像撮像処理装置１４は、抽出した識別情報「３２５１６２３」を管理サーバ装置１０に送信する（ステップＳ１０３）。
【００４８】
管理サーバ装置１０は、識別情報「３２５１６２３」に対応して記録されている対応情報（アドレス、制御情報）を、ハードディスク４４から読み出す。図５に示すように、識別情報「３２５１６２３」に対応づけて、商品紹介のページのアドレス、ページに対する「いいね」クリックの制御情報が記録されているので、これを読み出すことになる。管理サーバ装置１０は、読み出した対応情報を、画像撮像処理装置１４に送信する（ステップＳ２０１）。
【００４９】
画像対応処理装置１４は、この対応情報を受信する（ステップＳ１０４）。続いて、画像対応処理装置は、商品紹介ページに対する「いいね」処理を行って良いかどうかを確認する画面をタッチスクリーン２８に表示する（ステップＳ１０４）。図８に、その画面例を示す。ユーザが、これを承諾する場合にはＯＫボタン１０２をクリックする。承諾しない場合にはＮＧボタン１０４をクリックする。
【００５０】
ＮＧボタンがクリックされた場合、画像撮像処理装置１４は、商品紹介ページへのアクセスは行わず、処理を終了する（ステップＳ１０５）。ＯＫボタン１０２がクリックされた場合、画像撮像処理装置１４は、対応情報中のアドレス情報に基づいて、情報交換サーバ装置１２の商品紹介ページにアクセスする（ステップＳ１０６）。この際、画像撮像処理装置１４は、アドレス情報に基づいて、アクセス先の情報交換サーバ装置１２の種別（たとえば、フェイスブック（商標）、ツイッター（商標）、LinkedIn（商標）等のいずれであるか）を判断する。当該種別に対応して予め記録しているアクセスのためのモジュールを起動し、不揮発性メモリ２６に記録されているユーザＩＤ、パスワードを読み出して、情報交換サーバ装置１２に対するアクセス処理を行う。
【００５１】
情報交換サーバ装置１２は、受け取ったユーザＩＤ、パスワードに基づいて、アクセスの認証処理を行う（ステップＳ３０１）。
【００５２】
次に、画像撮像処理装置１４は、対応情報中の制御情報（もしくは、これに基づいて生成された処理情報）を送信する（ステップＳ１０７）。ここでは、商品紹介ページに対する「いいね」ボタンクリックのため制御情報が送信される。
【００５３】
情報交換サーバ装置１２は、この制御情報を受けて、商品消化ページに対する「いいね」ボタンクリックの処理を実行する（ステップＳ３０２）。これにより、図９に示すような商品ページにおいて、ユーザが当該ページに対する「いいね」ボタンがクリックしたと同様の処理が行われることになる。したがって、図９の画面上において、これを閲覧している人がリンク１０８をクリックすると、上記ユーザが「いいね」ボタンを押した人として表示されることになる。なお、ページへの書き込みを行うことを図５の対応情報として登録しておけば、そのような処理を行うこともできる。
【００５４】
上記では、利用者が情報交換サーバ装置１２の商品紹介のページをアドレスとして登録しておき、それに対する処理を行う場合について説明した。利用者は、情報交換サーバ装置１２のアドレスを登録しておき、ユーザが当該情報交換サーバ装置１２にて用いているユーザのページに対する処理を行うこともできる。
【００５５】
この場合、図５の２行目に示すように、情報交換サーバ装置１２のアドレス、ページをシェアするための制御情報、書き込み内容を示す制御情報を、利用者が記録する。図６のステップＳ１０６において、画像撮像処理装置１４は、情報交換サーバ装置１２において当該ユーザが利用しているページのアドレスをハードディスク２６から読み出し、情報交換サーバ装置１２の当該ページにアクセスする。
【００５６】
ステップＳ１０７において、画像撮像処理装置１４は、制御情報として記載された所定のページをシェアするための処理を行う。画像撮像処理装置１４は、ページをシェアするための制御情報、および書き込み内容を示す制御情報を情報交換サーバ装置１２に送信する（ステップＳ１０７）。情報交換サーバ装置１２は、商品を紹介するページをユーザが利用しているページに貼り付けてリンクを生成するためのページを画像生撮像処理装置１４に送信する。この際、情報交換サーバ装置１２は、制御情報として記載された書き込み内容「とてもいい・・・」を用いて、書込用の領域を生成して、画像撮像処理装置１４に送信する。
【００５７】
画像撮像処理装置１４は、上記のリンク生成および書込用の画面をタッチスクリーン２８上に表示する。図１０に、表示された画面を示す。書込用の領域２０２には、予め、制御情報として記載されていた「とてもいい・・・」が書き込まれ、必要であれば、ユーザが書き込みを行うことのできる状態となっている。リンク表示領域２０４には、リンク先である商品を紹介するページの一部が表示されている。決定領域２０６には、このリンクをシェア（ユーザのページに表示）するかしないかを、ユーザが選択するためのボタン「シェア」ボタン２０８と「キャンセル」ボタン２１０が表示されている。
【００５８】
ユーザが、画像撮像処理装置１４を操作し、「シェア」ボタン２０８を押下すれば、その旨が情報交換サーバ装置１２に送信される。これを受けて、当該商品を紹介するページを、当該ユーザのページにシェアする処理を実行する（ステップＳ３０２）。ユーザが、「キャンセル」ボタン２１０をクリックした場合には、シェアについての処理は実行されない。
【００５９】
５．その他の実施形態
(1)上記実施形態では、画像端末処理装置１４において、撮像したロゴマークから識別情報を抽出する際に、撮像したロゴマークのみで抽出を行うようにしている。しかし、撮像したロゴマークと、識別情報の埋め込まれていないロゴマークとの差分をとることにより、識別情報の抽出精度を高くするようにしてもよい。この場合、識別情報の埋め込まれていないロゴマークについては、予め画像端末処理装置１４に記録しておくとよい。主要な情報交換サーバ装置１２のロゴマークを記録しておき、撮像したロゴマークと最も近似するマークを選択して用いるようにすればよい。
【００６０】
(2)上記実施形態では、ロゴマークに識別情報を埋め込むようにしている。しかし、ロゴマーク以外のマークや記号、絵、文字などに識別情報を埋め込んで適用してもよい。
【００６１】
(3)上記実施形態では、撮像対象であるロゴマークは印刷されたものであった。しかし、ディスプレイやＴＶ受像器の画面上に表示されたロゴマークであってもよい。
【００６２】
(4)上記実施形態では、印刷されたロゴマークのようなものに対しても、これを撮像することで、アイコンをクリックしたと同じような機能を果たすことができるようにしている。しかし、タッチスクリーンの画面上に表示された機能付きのアイコン（クリックにより処理がなされるアイコン）に対しても、アイコン画像に識別情報を埋め込むことで、この発明を適用することができる。
【００６３】
(5)上記実施形態では、ユーザがロゴマークを撮像すれば、情報交換サーバ装置１２において所定の処理が行われるようにしている。これに加えて、あるいは、これに代えて、図１１のようなアイコン作成処理を実行するようにしてもよい。
【００６４】
画像撮像処理装置１４は、撮像されたロゴマーク画像を取得する（ステップＳ１０１）。次に、撮像されたロゴマーク画像から識別情報を抽出する（ステップＳ１０２）。続いて、管理サーバ装置１０に対して、識別情報を伴ってアクセスする処理を実行するための実行データ（アイコン実行データ）を生成する（ステップＳ１０８）。
【００６５】
続いて、画像撮像処理装置１４は、ロゴマーク画像、アイコン実行データ、アイコンを登録するためのＡＰＩを、不揮発性メモリ２６に記録する（ステップＳ１０９）。このようにして、クリックをすることで実行するアイコンを生成するためのデータが記録されることになる。
【００６６】
これを使用する場合には、ユーザは、不揮発性メモリ２６からロゴマーク画像、アイコン実行データ、アイコンを登録するためのＡＰＩを読み出す。これらデータを、アイコンを登録したいページ（たとえば、情報交換サーバ装置１２の自分のページ）に複製する。
【００６７】
ロゴマーク画像、アイコン実行データ、アイコンを登録するためのＡＰＩは、この実施形態では、ロゴマーク画像のアイコンが付されて記録されている。したがって、ユーザは、タッチスクリーン２８に表示されたロゴマーク画像をドラッグし、アイコンを登録したいページにドロップすればよい。これにより、情報交換サーバ装置１２は、アイコンを登録するためのＡＰＩにしたがって、ロゴマーク画像とアイコン実行データをアイコンとして登録する。
【００６８】
これにより、ユーザのページに、図１２に示すようなアイコン３００が表示されることになる。このアイコン３００は、アイコン実行データとして、「管理サーバ装置１０に対して、識別情報を伴ってアクセスする処理」が登録されている。したがって、このユーザのページを閲覧している他のユーザが、アイコン３００をクリックすると、図６のステップＳ１０３以下の処理が実行され、情報交換サーバ装置１２のファンページなどに「いいね」ボタンを押したと同様の処理などを行うことができる。
【００６９】
また、このアイコン３００の画像に電子透かしデータとして識別データを埋め込んでおけば、撮像することによっても同様の処理を行うことができる。
【００７０】
上記では、アイコン実行データとして「管理サーバ装置１０に対して、識別情報を伴ってアクセスする処理」を登録している、しかし、図１３に示すように、管理サーバ装置１０から識別情報に対応する対応情報を取得し、これに基づいてアイコン実行データを生成するようにしてもよい。このようにして作成されたアイコンを、他のユーザがクリックした場合、図６のステップＳ１０６以下が実行されることになる。
【００７１】
(6)上記実施形態では、画像撮像処理装置１４として、携帯電話を用いたが、通信機能付きの携帯情報端末、通信機能付きのカメラなどを用いるようにしてもよい。
【００７２】
(7)上記実施形態では、図８や図１０において、処理を行うかどうかについてユーザの確認をとっている。しかし、ユーザに確認せず、処理を実行するようにしてもよい。
【図１】
2015090504.tif 000003
【図２】
2015090504.tif 000004
【図３】
2015090504.tif 000005
【図４】
2015090504.tif 000006
【図５】
2015090504.tif 000007
【図６】
2015090504.tif 000008
【図７】
2015090504.tif 000009
【図８】
2015090504.tif 000010
【図９】
2015090504.tif 000011
【図１０】
2015090504.tif 000012
【図１１】
2015090504.tif 000013
【図１２】
2015090504.tif 000014
【図１３】
2015090504.tif 000015